(57)【要約】      （修正有）【課題】複雑な入力を要することなく、ユーザーの好みに合う精油の調合をシンプルに実現可能な香りの調合手段を提供する。【解決手段】香り調合装置１００は、精油の種類および分量のパターンが指示端末３００によりユーザーの入力した情報に基づいて一意に選択されるのではなく、複数のパターンの中からランダムに選択される。選択した精油の香りをユーザーが気に入ったかどうかの評価の入力を受け付け、次回の調合に反映させることによりユーザーの好みに合う調合を可能とする。【選択図】図１
2017107516.tif 000002
【特許請求の範囲】
【請求項１】
情報処理装置において実行されるプログラムであって、
入力部からのユーザーの精神状態または健康状態に関する情報の入力を受け付けるステップと、
ユーザーの精神状態また健康状態に関する情報と、精油の種類および分量のパターンと、を関連付けたテーブルを参照するステップと、
複数の、精油の種類および分量のパターンから１つをランダムに選択するステップと、
選択した精油の種類および分量のパターンを信号化して送信するステップと、
選択した精油に対するユーザーの評価の入力を受け付けるステップと、
ユーザーの評価を選択した精油の種類および分量のパターンと関連付けて記憶領域に記憶させるステップと、
を実行する、精油の選択プログラム。
【請求項２】
複数の、精油の種類および分量のパターンから１つをランダムに選択するステップにおいて、
前記ユーザーの評価に基づいてそれぞれの精油の種類および分量のパターンを選択する確率が変動する、請求項１の精油の選択プログラム。
【請求項３】
入力部からのユーザーの精神状態または健康状態に関する情報の入力を受け付けるステップに代えて、
ユーザーがネットワーク上に投稿した情報を取得するステップと、
取得した情報を解析し、ユーザーの精神状態または健康状態を推測するステップと、実行する、請求項１の精油の選択プログラム。
【発明の詳細な説明】
【技術分野】
【０００１】
本発明は香り成分を調合するレシピを作成する方法および装置、プログラムに関する。
【背景技術】
【０００２】
植物等の香りを利用して、心身を回復させ、健康増進や美容に役立てていこうとする自然療法であるアロマテラピーを、デジタルデバイスと連動させようという技術がいくつか開示されている。
【０００３】
特許文献１によれば、精油（アロマオイル）の調合支援システムにおいて、それぞれ人間の気分を間接的に表す複数種類の気分要素情報（色、地域、場面、ムード等）と精油の調合ルールとを対応付けて記録しておき、制御情報に基づいて調合を行う芳香剤調合装置（アロマキット）が接続されているユーザー端末に気分要素情報を提示してユーザーに選択させる。ユーザーが気分要素情報を選択した場合は、それに対応する調合ルールに基づいて制御情報を生成し、これをアロマキット宛（ユーザー端末経由）に出力する、と開示されている。
【０００４】
また、非特許文献１によればユーザーの症状を入力すると、精油の処方箋や効能を瞬時に表示し、それを自動的に調合する装置が開示されている。
【先行技術文献】
【特許文献】
【０００５】
【特許文献１】特開２００３−２２８６６２号
【非特許文献】
【０００６】
【非特許文献１】データバンクと自動調合装置でアロマセラピーを簡単に - ビジネススタイル - nikkei BPnet（http://www.nikkeibp.co.jp/style/biz/feature/world/071205_alomadoc/）
【発明の概要】
【発明が解決しようとする課題】
【０００７】
ところで、精油の種類は約３００種類以上とされているが、香りの好みには個人差があり、ラベンダーやローズ、イランイランは下記URLによると「好きな香り」のランキング上位に位置するものの、「嫌いな香り」のランキング上位にも位置している。
【０００８】
参照：「エッセンシャルオイル（精油・アロマオイル）香りの好き嫌いについて」http://www.t-tree.net/aromatherapy/a_110614_like_dislike.htm
【０００９】
すなわち、特許文献１、非特許文献１のように、ユーザーが入力する情報に予め紐付けられた精油を調合するだけでは、調合した精油がユーザーの好みに合わない場合がある。
【００１０】
また、特許文献１、非特許文献１ともに精油の種類・分量を選択するためにユーザーに要求する入力が多く、複雑である。
【００１１】
そこで、本発明ではよりユーザーの好みに合う精油の調合をシンプルに実現可能な香りの調合手段を提供することを課題とする。
【課題を解決するための手段】
【００１２】
本発明の課題を達成するための構成は以下の通りである。
【００１３】
（構成）
情報処理装置において実行されるプログラムであって、
入力部からのユーザーの精神状態または健康状態に関する情報の入力を受け付けるステップと、
ユーザーの精神状態また健康状態に関する情報と、精油の種類および分量のパターンと、を関連付けたテーブルを参照するステップと、
複数の、精油の種類および分量のパターンから１つをランダムに選択するステップと、
選択した精油の種類および分量のパターンを信号化して送信するステップと、
選択した精油に対するユーザーの評価の入力を受け付けるステップと、
ユーザーの評価を選択した精油の種類および分量のパターンと関連付けて記憶領域に記憶させるステップと、
を実行する、精油の選択プログラム。
【００１４】
また、複数の、精油の種類および分量のパターンから１つをランダムに選択するステップにおいて、前記ユーザーの評価に基づいてそれぞれの精油の種類および分量のパターンを選択する確率が変動することが好ましい。
【００１５】
また、入力部からのユーザーの精神状態または健康状態に関する情報の入力を受け付けるステップに代えて、ユーザーがネットワーク上に投稿した情報を取得するステップと、取得した情報を解析し、ユーザーの精神状態または健康状態を推測するステップと、実行するよう構成してもよい。
【発明の効果】
【００１６】
本発明によれば、ユーザーに細かな情報の入力を要求することなく、よりファジーなインターフェースによりユーザーの好みに合う香りを選択することが可能となる。
【図面の簡単な説明】
【００１７】
【図１】本発明の主要な実施形態を説明する図。
【図２】本発明の主要な実施形態を説明する図。
【図３】本発明の主要な実施形態を説明する図。
【図４】本発明の第２の実施形態を説明する図。
【図５】本発明の第２の実施形態を説明する図。
【図６】本発明の第３の実施形態を説明する図。
【図７】本発明の第３の実施形態を説明する図。
【図８】本発明の第４の実施形態を説明する図。
【図９】本発明の第４の実施形態を説明する図。
【発明を実施するための形態】
【００１８】
本発明の主要な実施形態を図とともに説明する。
【００１９】
図１は本発明の実施形態を説明する図である。
【００２０】
本発明の実施形態は香りを調合する香り調合装置１００、香り調合装置１００が調合した香りを空気中に拡散させる香り拡散装置２００、香り調合装置１００および香り拡散装置２００への指示を送信する指示端末３００、からなる。
【００２１】
本発明において香り調合装置１００、香り拡散装置２００、指示端末３００は、必ずしも別個のハードウェアとして分離したものである必要はなく、一部または全部が一体のハードウェアとして構成されたものであってもよい。
【００２２】
図１は香り調合装置１００および香り拡散装置２００を１つの装置として構成し、指示端末３００をスマートフォン向けのアプリケーションとして実施した実施形態を示したものであるが、これはあくまでも本発明の実施形態の一例である。
【００２３】
（香り調合装置１００）
本発明を構成する香り調合装置１００について説明する。
【００２４】
香り調合装置１００は複数のソケット１０１を備え、ソケット１０１にはカートリッジ１０２が挿入される。
【００２５】
複数のカートリッジ１０２にはそれぞれグレープフルーツ、ローズ、ラベンダー等の特有の芳香を持った精油（アロマオイル、アロマエキス等。香り成分を含むものであれば精油以外のものであってもよい）が入っており、精油はソケット１０１を介して香り調合装置１００の内部に滲出する。
【００２６】
ある精油の入ったカートリッジ１０２をどのソケット１０１に挿入するからは予め決まっているものとする。
【００２７】
ユーザーがソケットを間違えることがないように、ソケット１０１とカートリッジ１０２の形状は対応するもの同士だけが挿入できるように設計しておくことが好ましい。
【００２８】
（香りの調合について）
以下、香り調合装置１００における香りの調合について説明する。
【００２９】
通信回路１０３が後述する指示端末３００より、指定した種類・分量の精油の調合を指示する信号を受診すると、プロセッサ１０４は指定されたソケット１０１の開閉を制御し、指定されたソケット１０１に挿入されたカートリッジ１０２から滲出した精油が調合される。
【００３０】
なお、以上説明した、香り調合装置１００の実施形態はあくまでも一例であり、複数の精油を調合することができるように構成されたものであればいかなるものでも構わない。
【００３１】
また、本発明において「調合」とは必ずしも２以上の精油を選択して調合することのみを指すものではなく、１つの精油のみを選択することも含むものとする。
【００３２】
（香り拡散装置２００）
本発明を構成する香り拡散装置２００について説明する。
【００３３】
香り拡散装置２００は香り調合装置１００が調合した精油の香りを空気中に拡散させる装置である。市場ではアロマディフューザーと呼ばれて取引されるものが含まれる。
【００３４】
香りを拡散させる方法は複数種類、存在するが、現在考案されているもの、および将来考案されるすべての方法を本発明に用いることができる。
【００３５】
代表的なものとして、（１）超音波で水を振動させ、冷たいミストを発生させるもの、（２）タンクの水を加熱し、熱いスチームを発生させるもの、（３）圧縮空気を送り、精油の微粒子そのものを広げるもの、（４）ランプの熱により精油を蒸発させるもの、等があるが、いずれを用いてもよい。
【００３６】
通信回路２０１が後述する指示端末３００より、精油の拡散を指示する信号を受診すると、プロセッサ２０２は拡散部の挙動を制御して、香りを拡散させる。
【００３７】
（指示端末３００）
本発明を構成する指示端末３００について説明する。
【００３８】
指示端末３００は、ユーザーからの入力を受け付け、香り調合装置１００および香り拡散装置２００への指示を送信する装置である。
【００３９】
指示端末３００は、香り調合装置１００および香り拡散装置２００のインターフェースとして一体化したもの、スタンドアローンのリモートコントローラーとして構成したもの、スマートフォン、タブレットその他の汎用的なデバイスにアプリケーションとしてインストールしたもの、等の実施形態が考えられるが、その時々において普及しているものを適宜採用すればよい。
【００４０】
なお、いずれの指示端末３００の実施形態においてもインターネット等のネットワークに接続する手段を備えていることが好ましい。
【００４１】
（指示端末３００からの指示）
以下に、香り調合装置１００および香り拡散装置２００への指示を指示端末３００が作成するプロセスを説明する。
【００４２】
（第１の作成方法：アイコンを用いたレシピの作成）
香りを調合するレシピの第１の作成方法として、アイコンの選択による方法を説明する（図３参照）。
【００４３】
プロセッサ３０１は笑顔、泣き顔、怒り顏の３種類のアイコンを表示部３０２により表示させ、その時の気分に当てはまるアイコンの選択を入力部３０５より受け付ける。
【００４４】
次にプロセッサ３０１は、記憶部３０３に記憶された、アイコンと精油の対応付けが記述されたテーブルを参照し、そのアイコンに対応した精油の調合のレシピを作成する。
【００４５】
そして、プロセッサ３０１は、作成したレシピを信号化して通信回路３０４より香り調合装置１００へと送信する。
【００４６】
なお、アイコンの種類は笑顔、泣き顔、怒り顏の３種類に限らず、様々なものが考えられる。例えば、図８に示すように、しあわせ、わくわく、ラッキー、リラックス、愛されている、かわいい、怒っている、ポカーン、悲しい、がっかり、リフレッシュ、楽しい、ホッとした、ありがとう、疲れた、へこんでいる、等のユーザーの感情をより細分化したアイコンを用いてもよい。
【００４７】
また、アイコンではなく、図９のように「すっきり」「甘さ」「温かさ」「濃く」等のファジーなパラメーターを入力するインターフェースにより精油を決定するものとしてもよい。
【００４８】
（第２の作成方法：ネットワーク等からの情報の取得によるレシピの作成）
香りを調合するレシピの第２の作成方法として、ネットワーク等からの情報の取得による方法を説明する。
【００４９】
この方法では指示端末３００がインターネットに接続していることが前提となる。
【００５０】
第２のレシピ作成方法ではユーザーのTwitter（登録商標）やfacebook（登録商標）等のネットワークサービスへの投稿内容を解析し、「ストレスが溜まっている」「落ち込んでいる」「元気を出したい」といった細やかなシチュエーションから投稿内容と合致するものを選択し、各種の精油を対応付けしたテーブルを参照し、対応する精油を調合するレシピを作成する。
【００５１】
図４に示すように、ユーザーがネットワーク上に「飼っていたハムスターが病死して落ち込んでいる」という内容の投稿をしたとき、「死」、「悲しい」等の単語と紐付けた精油を選択し、香り調合装置１００に調合させる。
【００５２】
図５にも示す上記の処理は指示端末３００のプロセッサ３０１において行うことが可能であるが、図６に示すようにネットワークサービスの投稿内容の取得と解析、および投稿内容に対応する精油の調合レシピの作成はサーバー４００のプロセッサ４０１において行い、指示端末３００はサーバー４００から受信したレシピをそのまま香り調合装置１００に送信するのが効率的であるといえる。
【００５３】
（ユーザーによる評価）
以下は第１のレシピ作成方法、第２のレシピ作成方法に共通する実施形態である（図７参照）。
【００５４】
プロセッサ３０１はレシピを香り調合装置１００へ送信したのち、一定時間経過後に、ユーザーへレシピにより調合された精油への評価を求めるダイアログを表示部３０２に表示させる。
【００５５】
たとえばラベンダーには「ストレスや蓄積したフラストレーションを取り除く効能」があるとされているため、前述のアイコンと精油の対応付けが記述されたテーブルにおいて、泣き顔のアイコンや怒り顏のアイコンとラベンダーを紐付けておくことが考えられる。
【００５６】
一方で、ラベンダーの香りは好き嫌いの分かれる香りとしても知られており、ユーザーが必ずしも気に入るとは限らない。
【００５７】
そこで、「いいえ」という評価の入力を受け付けたときは、プロセッサ３０１はラベンダーを調合の対象から除外するフラグを立てて記憶部３０３に記憶させ、次回調合する際にはラベンダーを調合に使わないよう制御する。
【００５８】
逆に、「はい」という評価の入力を受け付けたときは、さらに、その香りのレシピを「お気に入り」に登録するかどうかの入力を受け付けるダイアログを表示部３０２に表示させる。
【００５９】
お気に入りへ登録する入力を受け付けたときは、作成したレシピにお気に入りのフラグを立てて記憶部３０３に記憶させる。
【００６０】
お気に入りは「はい」「いいえ」方式だけでなく、図８、図９に示すようにインターフェース上の星の数により「お気に入り度」を設定できるようにしてもよい。
【００６１】
また、精油の種類は豊富であり、効能が共通するものが多い。
【００６２】
このため、本発明ではユーザーの入力に対して常に同じ種類・分量の精油を調合するのではなく、調合する精油の種類・分量のパターンを予め複数テーブルに登録してランダムに選択し、調合した精油への採点の入力を受け付けるステップを設けてもよい。
【００６３】
ユーザーが高い評価（肯定的評価）をした精油の種類および分量のパターンは次回から選択する確率が上がり、ユーザーが低い評価（否定的評価）をした精油の種類および分量のパターンは次回から選択する確率が下がるよう、制御する。
【００６４】
また、ユーザーの採点は指示端末３００から通信回路３０４を介してインターネット上のサーバー４００にアップロードすることにより、複数のユーザーの利用データを蓄積させる。
【００６５】
蓄積されたデータは精油の売れ筋を調べる、新たな精油を商品として開発する等の際に参考となるビッグデータとして活用することができる。
【００６６】
このような構成を採用することにより、ユーザーに複雑な入力を要求することなく、よりファジーなインターフェースにより様々な香りを楽しむことができるようになる。
【００６７】
（禁忌について）
また、生理中、妊娠中の期間にはそれぞれ避けるべきとされる精油が存在しており、低血圧・高血圧等の体質による禁忌も存在する。
【００６８】
プロセッサ３０１はユーザーにあらかじめ生理周期や妊娠の有無、健康状態の入力を促しておき、禁忌とされる精油を調合の対象から除外するフラグを立てて記憶部３０３に記憶させることにより、該当する精油が調合されるのを防ぐ。
【００６９】
スマートフォン、タブレットその他の汎用的なデバイスを指示端末３００として使用する場合は、デバイスにインストールされたカレンダーソフトやネットワーク上のカレンダーと連携させることにより、生理周期を自動で入力させることができる。
【００７０】
（結び）
本発明におけるハードウェア装置の構成、動作に関わるプログラム、データ形式、処理手続、プログラム言語は特定のものに依存しておらず、上記説明した実施形態は一例を示したものに過ぎない。
【００７１】
本発明は上述した各実施形態に限定されるものではなく、異なる実施形態にそれぞれ開示された技術的手段を適宜組み合わせて得られる実施形態についても本発明の技術的範囲に含まれる。
【産業上の利用可能性】
【００７２】
本発明はアロマディフューザー等の、複数の精油を調合して拡散させる装置としての産業上の利用可能性を有する。
【符号の説明】
【００７３】
１００  香り調合装置
１０１  ソケット
１０２  カートリッジ
１０３  通信回路
１０４  プロセッサ
２００  香り拡散装置
２０１  通信回路
３００  指示端末
３０１  プロセッサ
３０２  表示部
３０３  記憶部
３０４  通信回路
３０５  入力部
４００  サーバー
４０１  プロセッサ
４０２  記憶部
４０３  通信回路
【図１】
2017107516.tif 000003
【図２】
2017107516.tif 000004
【図３】
2017107516.tif 000005
【図４】
2017107516.tif 000006
【図５】
2017107516.tif 000007
【図６】
2017107516.tif 000008
【図７】
2017107516.tif 000009
【図８】
2017107516.tif 000010
【図９】
2017107516.tif 000011